(57)【要約】      （修正有）【課題】検作業時等に水栓本体に連通する屈曲自在な配管が暴れて人に当たることを防止できる水栓を提供する。【解決手段】壁２に取り付けられるステーを備える。ステーに保持される水栓本体１９を備える。壁２に取り付けられると共に水栓本体１９に連通する屈曲自在な水供給用の配管を保持する保持具７を備える。【選択図】図１
2012046956.tif 000002
【特許請求の範囲】
【請求項１】
壁に取り付けられるステーと、このステーに保持される水栓本体と、前記壁に取り付けられると共に前記水栓本体に連通する屈曲自在な水供給用の配管を保持する保持具を備えたことを特徴とする水栓。
【請求項２】
前記ステー、配管、及び保持具を覆うカバーを備え、このカバーが複数のカバー体で構成され、前記カバー体の内面に被嵌合部が形成されると共に、前記保持具に前記被嵌合部が嵌合される嵌合部が形成されたことを特徴とする請求項１に記載の水栓。
【発明の詳細な説明】
【技術分野】
【０００１】
本発明は壁付けの水栓に関する。
【背景技術】
【０００２】
従来から壁に取り付けられるステーで水栓本体を支持する水栓が特許文献１により知られている。この水栓は水栓本体に連通する水供給用の配管を覆うカバーを有し、カバーの一部を構成するカバー体を取り外すことで、前記配管の点検やこの配管と水栓本体の接続部分に設けられる止水栓の操作等を行えるようになっている。
【先行技術文献】
【特許文献】
【０００３】
【特許文献１】特開２００８−１３８３９７号公報
【発明の概要】
【発明が解決しようとする課題】
【０００４】
ところで、前記配管は施工性を考慮してフレキシブル管等の屈曲自在なもので構成することが好ましい。しかし、このようにすると、前記点検作業時等に通水がなされた際に屈曲自在な配管が暴れて人に当たる恐れがあり、特にこの配管が水栓本体に高温の水を供給する給湯管であると火傷等する恐れもある。
【０００５】
本発明は上記事情に鑑みてなされたものであって、点検作業時等に水栓本体に連通する屈曲自在な配管が暴れて人に当たることを防止できる水栓を提供することを課題とする。
【課題を解決するための手段】
【０００６】
上記課題を解決するために本発明の水栓は、壁に取り付けられるステーと、このステーに保持される水栓本体と、前記壁に取り付けられると共に前記水栓本体に連通する屈曲自在な水供給用の配管を保持する保持具を備えたことを特徴とする。
【０００７】
また、前記ステー、配管、及び保持具を覆うカバーを備え、このカバーが複数のカバー体で構成され、前記カバー体の内面に被嵌合部が形成されると共に、前記保持具に前記被嵌合部が嵌合される嵌合部が形成されることが好ましい。
【発明の効果】
【０００８】
本発明にあっては、点検作業時等に水栓本体に連通する屈曲自在な配管が暴れて人に当たることを防止できる。
【図面の簡単な説明】
【０００９】
【図１】本発明の実施形態の第三カバー体を取り付ける前の状態を示す水栓の斜視図である。
【図２】水栓の斜視図である。
【図３】水栓の後側から見た斜視図である。
【図４】保持具により給水管及び給湯管を壁に仮止めする前の状態を示す斜視図である。
【図５】保持具の斜視図である。
【図６】水栓ユニットを掛具に引っ掛けた状態を示す斜視図である。
【図７】水栓ユニットを掛具に引っ掛ける前の状態を示す斜視図である。
【図８】水栓ユニットの継手を壁に固着する前の状態を示す斜視図である。
【図９】カバーの上部を後側から見た斜視図である。
【図１０】第三カバー体を保持具に取付けた状態を示す水平断面図である。
【発明を実施するための形態】
【００１０】
以下、本発明を添付図面に基づいて説明する。本実施形態の水栓１は浴室の壁２（図１等参照）に沿って設けられるカバー付きの湯水混合水栓である。なお、以下では、特に記載する場合を除いて、水栓１の各構成部材につき設置状態における方向を基準として説明する。すなわち、壁２と直交する方向を前後方向とすると共に水栓１から見て壁２側を後方として説明する。
【００１１】
図８に示すように浴室には水栓１に水を供給するための配管として給水管３及び給湯管５が設けられる。給水管３及び給湯管５は屈曲自在なフレキシブル管からなり、壁２に前方に突出して設けられたカウンター６の内部に通された後、壁２に沿ってカウンター６の上方に引き出される。給水管３及び給湯管５は、後述の水栓ユニット１３及びカバー体１８の設置前において、壁２に取り付けられた保持具７により仮保持される。
【００１２】
保持具７は、ステンレス製で帯状の金属板を折曲加工して形成される。図５にも示されるように保持具７の両側には給水管３及び給湯管５の夫々を保持する保持部８が形成されている。各保持部８は金属板の長手方向の一部を前方に突出するよう屈曲させることで水平断面溝形に形成され、各保持部８の内側には上下及び後方に開口する溝９が形成されている。保持具７両側の壁２に固定される部分にはねじ１０を通すための長孔１１が形成され、各長孔１１は左右方向において両保持部８の外側に配置されている。
【００１３】
保持具７で前記カウンター６から引き出された給水管３及び給湯管５を仮保持するには、まず図４に示すように給水管３及び給湯管５の夫々の長手方向の一部に柔軟性のあるソフトテープ１２を巻き付ける。次に、給水管３及び給湯管５のソフトテープ１２で巻かれた部分を対応する保持部８の溝９に上下に通した状態で、保持具７の後面を壁２の近傍に配置する又は壁２に当接する。続いて室内側から各長孔１１に通したねじ１０を壁２にねじ込む。なお、このねじ込みは本締めせず、仮締め状態としておく。これにより、給水管３及び給湯管５の夫々は保持部８の前面部と壁２の間にソフトテープ１２を介して挟まれて仮保持される。
【００１４】
水栓１は、図６に示す水栓ユニット１３と、前記保持具７と、図１等に示される合成樹脂製のカバー体１８で構成されている。
【００１５】
水栓ユニット１３はカウンター６の上方の壁２に取り付けられる。図６のように、水栓ユニット１３は、水栓本体１９と、水栓本体１９に設けられる継手２０，２１及びシャワー用配管（不図示）と、ステー２２と、ステー２２の左右両側を覆うカバー体１６と、ステー２２の上側を覆うカバー体１７（図７等参照）とで構成されている。
【００１６】
水栓本体１９は弁装置を内蔵したシリンダー（不図示）をハウジング２３内に組み込んだものである。ハウジング２３の後部は後方から見て長手方向を左右方向とした矩形状に形成されている。このハウジング２３の後部はカバー体１６とカバー体１７で上下に挟み込まれる挟込部２５となっている。
【００１７】
挟込部２５の後面両側には継手２０，２１の夫々の下流端部が接続される。これら継手２０，２１により給水管３及び給湯管５の夫々はシリンダーに接続される。
【００１８】
給水管３及び給湯管５から継手２０，２１を介して低温の水及び高温の水の夫々が前記シリンダー内に供給され、これら低温の水及び高温の水はシリンダー内で所望割合で混合されて所望温度の水が生成される。以下、給水管３からシリンダーに供給される低温の水を「水」、給湯管５からシリンダーに供給される高温の水を「湯」、これら「水」と「湯」をシリンダーで混合することで得られる水を「湯水」と記載する。
【００１９】
ハウジング２３の前部中央部には湯水を吐出するための吐水口２６が下方に突出して設けられている。また、ハウジング２３の挟込部２５の後面中央部にはシャワー用配管の上流端部が接続され、このシャワー用配管の下流側にはシャワーヘッド（不図示）が設けられる。
【００２０】
ハウジング２３の前部の外側面には切替ハンドル２７が設けられている。切替ハンドル２７を操作することで、シリンダー内で生成された湯水を、吐水口２６側に供給して吐出するか、あるいはシャワー用配管側に供給してシャワーヘッドから吐出するかが切り替えられる。また、切替ハンドル２７を操作することで、前記吐水口２６やシャワーヘッドから吐出される湯水の量の調節も行えるようになっている。
【００２１】
ハウジング２３の前部の前記切替ハンドル２７と反対側の外側面には温度調節ハンドル２８が設けられている。温度調節ハンドル２８を操作することで、前記シリンダー内で混合される水と湯の割合を調節でき、これにより吐水口２６やシャワーヘッドから吐出される湯水の温度が調節される。
【００２２】
各継手２０，２１は側方から見てクランク状に屈曲したソケットからなる。クランク状にすることで各継手２０，２１の下部に形成された前後に延びる管部２９には、図示しない止水栓及びストレーナーが内装されている。
【００２３】
各継手２０，２１は下端部に下方に突出した接続口部３０を有している。両継手２０，２１の接続口部３０には給水管３の下流端部及び給湯管５の下流端部の夫々が接続される。
【００２４】
各継手２０，２１の管部２９の前面には前記止水栓の操作部３１が設けられている。各操作部３１を操作することで、給水管３や給湯管５から水栓本体１９へ給水するか否かが切り替えられる。
【００２５】
各継手２０，２１の管部２９の前面は脱着可能なキャップ３２で構成され、このキャップ３２に前記ストレーナーが取り付けられている。継手２０，２１からキャップ３２を取り外すことで前記ストレーナーを継手２０，２１から取り出して掃除等が行えるようになっている。
【００２６】
水栓本体１９の後方に配置されるステー２２は壁２に取り付けられ、継手２０，２１を介して水栓本体１９を保持する。ステー２２はステンレス製の金属板からなり、図３に示すように、左右に長い板状の壁掛部３３と、壁掛部３３の両側から下方に向けて突出した継手固着部３５を有している。各継手固着部３５には、ねじ（不図示）により継手２０，２１が取り付けられる。
【００２７】
水栓ユニット１３のカバー体１６，１７は、カバー体１８と同様、合成樹脂成形品からなり、これらカバー体１６〜１８で水栓１全体のカバー１５が構成されている。以下カバー体１６〜１８の夫々を、第一カバー体１６、第二カバー体１７、第三カバー体１８と記載する。
【００２８】
第一カバー体１６は、図６に示すようにステー２２の両側に配置される側板部３６を連結部３７で一体に連結したものであり、ステー２２に取り付けられる。
【００２９】
各側板部３６はカバー１５の上端部の側面を構成する。連結部３７は両側板部３６の下縁の前端部同士を接続する横板状に形成されている。各側板部３６の下縁には内側方に突出する下縁部３８が形成されている。両下縁部３８の前端は連結部３７の後縁の両側端部に接続され、両下縁部３８の間には開口３９が形成されている。
【００３０】
図３及び図９のように第一カバー体１６の各側板部３６の内面における後端部の上部には内側方に突出する被嵌込部４０が形成されている。これに対して、図３に示すようにステー２２の壁掛部３３の両側端部には嵌込部４１が形成されている。
【００３１】
第一カバー体１６をステー２２に取付けるには、第一カバー体１６の両側板部３６の被嵌込部４０をステー２２の対応する嵌込部４１に嵌め込む。これにより各被嵌込部４０は、上下方向及び前後方向の移動が規制される。また、このように第一カバー体１６の各被嵌込部４０をステー２２の嵌込部４１に嵌め込んだ状態では、ステー２２の嵌込部４１が第一カバー体１６の側板部３６の内面に当接する。従って、ステー２２の嵌込部４１により、第一カバー体１６の両側板部３６の内側方への移動が規制される。
【００３２】
このようにステー２２に取り付けられた第一カバー体１６は、図６に示すように連結部３７の前縁部が水栓本体１９の挟込部２５の下面後縁部に当接して重ねられる。また、第一カバー体１６の両側板部３６の前縁部が水栓本体１９の挟込部２５の両側面後端部に重ね合わされる。また、前記ステー２２に取付けられた継手２０，２１は、その下部が第一カバー体１６の開口３９を介して下方に突出する。
【００３３】
図９に示すように第一カバー体１６の一方の側板部３６（図示例では向かって左側の側板部３６）には、シャワー用配管の下流側を水栓ユニット１３から引き出すための孔４２が形成されている。
【００３４】
第二カバー体１７は第一カバー体１６及びステー２２に取り付けられる。第二カバー体１７はカバー１５の上端面を構成し、第一カバー体１６の両側板部３６の間に形成された空間の上方を覆う。
【００３５】
第二カバー体１７の下面両側の前後２箇所には、下方に突出する側面視Ｌ字状の被掛合部４３が形成されている。一方、第一カバー体１６の各側板部３６の内面の前後２箇所に掛合部４５が形成されている。第二カバー体１７を第一カバー体１６に取り付けるには、第二カバー体１７の各被掛合部４３を第一カバー体１６の対応する掛合部４５に掛合する。
【００３６】
第二カバー体１７の後端部中央には下方に突出する側面視略Ｌ字状の掛止部４６が形成されている。また、図３に示すようにステー２２の壁掛部３３の左右方向中央部には掛孔４７が形成されている。前記第二カバー体１７を第一カバー体１６に取付けた状態では、第二カバー体１７の掛止部４６の先端部がステー２２の掛孔４７の上縁部に掛止される。
【００３７】
このように第二カバー体１７を第一カバー体１６に取付けた状態では、図７等に示すように第二カバー体１７の前縁部下面が水栓本体１９の挟込部２５の後端部の上面に当接して重ねられる。これにより、水栓本体１９の挟込部２５は、第一カバー体１６の連結部３７と第二カバー体１７とで上下に挟まれる。
【００３８】
水栓ユニット１３を壁２に取付けるにあたって、図７のように壁２には掛具４８が左右に二個並べて設けられる。各掛具４８は筒状のスペーサーからなり、その外周面には周方向に亘って溝４９が形成されている。各掛具４８を壁２に取付けるには、ねじ５１を筒状の掛具４８の内側の孔に前方から通して壁２に固着する。
【００３９】
図３のようにステー２２の壁掛部３３の両側には壁掛孔５２が形成されている。各壁掛孔５２は下部よりも上部の孔幅を小さくしただるま孔からなる。また、各継手２０，２１の下部には壁固着部５３が形成されている。壁固着部５３は継手２０，２１の後端部から左右両側に向けて突出している。各壁固着部５３にはねじ５５を挿通させるための孔５６が形成されている。
【００４０】
水栓ユニット１３は以下のように壁２に取付けられる。まず、ステー２２両側の壁掛孔５２の下部に、対応する掛具４８を挿入する。次に、水栓ユニット１３を壁２に沿って下方に移動して、各掛具４８を壁掛孔５２の上部に配置する。これにより、各掛具４８の溝４９に壁掛孔５２の上縁部が嵌まり、ステー２２の壁掛部３３が両掛具４８に引掛けられて、図６のように水栓ユニット１３が壁２に仮止めされる。そして、この後、各継手２０，２１の各壁固着部５３の孔５６に前方から通したねじ５５を壁２に固着することで、水栓ユニット１３が壁２に本固定される。
【００４１】
このように壁２に取付けられた水栓ユニット１３の継手２０，２１の接続口部３０には、図１のように前記保持具７により仮保持された給水管３及び給湯管５の夫々の下流端部が接続される。
【００４２】
保持具７を壁２に取り付ける各ねじ１０は、保持具７の左右に長い長孔１１（図５参照）に通されている。このため保持具７をねじ１０に対して左右方向に移動して、前記給水管３及び給湯管５を継手２０，２１に容易に接続することができる。
【００４３】
上記のように給水管３及び給湯管５を継手２０，２１に接続した後、保持具７に通した各ねじ１０を本締めし、保持具７により給水管３及び給湯管５の夫々を壁２に本固定する。この際、給水管３及び給湯管５は、図１０のようにソフトテープ１２を圧縮した状態で、ソフトテープ１２を介して保持部８に収めることができ、保持具７によりしっかりと給水管３及び給湯管５を仮保持することができる。
【００４４】
第三カバー体１８は、第一カバー体１６と保持具７の両者に脱着可能に取付けられ、カウンター６とこの上方の水栓ユニット１３の間に配置される。
【００４５】
第三カバー体１８は、図３に示すように前面部５７から両側面部５８及び下面部５９を後方に突出したものであり、上方及び後方に開口している。下面部５９の両側には、カウンター６から上方に引き出した給水管３及び給湯管５の夫々を通すための切欠６０が形成されている。
【００４６】
第三カバー体１８の各側面部５８の下部内面には上下に長い凹部からなる被嵌合部６１が形成されている。また、図５に示すように、保持具７の左右両端部には被嵌合部６１が嵌合される嵌合部６２が形成されている。各嵌合部６２は保持具７をなす金属板の端部を前側で折り返してなり、水平断面で外側方に突出した山形に形成される。
【００４７】
図２のように第三カバー体１８の前面部５７は、下部が鉛直であるのに対して上部が上方程前方に位置するよう傾斜している。図１のように前面部５７の上端部両側には後方に向けて突出する被差込部６３が形成されている。前面部５７の上端部中央には後方に向けて突出して先端に爪部６６を有する引掛部６５が形成されている。また、図９のように第三カバー体１８の各側面部５８の上端部には、内側方に突出する背面視逆Ｌ字状の被挿入部６７が形成されている。
【００４８】
図６に示すように、第一カバー体１６の連結部３７の後縁部には下方に突出する後縁部６８が形成されている。後縁部６８の両側端部には前方にリブを突出することで前側が開口した差込溝６９が形成されている。また、第一カバー体１６の各下縁部３８の後端部には、下方に曲片を突出して前方に開口する挿入溝７０が形成されている。各挿入溝７０は正面視逆Ｌ字状に形成されている。
【００４９】
第三カバー体１８を第一カバー体１６と保持具７に取り付けるには、第三カバー体１８を上側が前側に位置するよう傾斜させて、第三カバー体１８の凹状の各被嵌合部６１に保持具７の各嵌合部６２の先端部を嵌め込む。次に、第三カバー体１８の上部を前方に押し込んで、第三カバー体１８の各被差込部６３及び各被挿入部６７を、第一カバー体１６の対応する差込溝６９及び挿入溝７０に前方から差し込む。同時に図９のように第三カバー体１８の引掛部６５を第一カバー体１６の後縁部６８の下方に差し入れる。
【００５０】
上記により、図１０のように第三カバー体１８の各被嵌合部６１に保持具７の各嵌合部６２が嵌合して、第三カバー体１８の下部の前後方向の移動が規制される。また、第三カバー体１８の各被差込部６３及び各被挿入部６７が、第一カバー体１６の差込溝６９及び挿入溝７０に差し込まれて、第三カバー体１８が第一カバー体１６で支持される。また、第三カバー体１８の引掛部６５の爪部６６が第一カバー体１６の後縁部６８の後面に引掛かり、これにより第三カバー体１８の前方への移動が規制される。
【００５１】
このように第三カバー体１８を第一カバー体１６と保持具７に取り付けると、第三カバー体１８によって、継手２０，２１の夫々の下部、給水管３、給湯管５、及び保持具７が覆われる。すなわち、第一カバー体１６、第二カバー体１７、及び第三カバー体１８の三者で構成されたカバー１５全体では、前後方向において水栓本体１９と壁２の間に配置された、ステー２２、継手２０，２１、給水管３、給湯管５、及び保持具７の全てが覆い隠される。
【００５２】
カバー１５の上端部は水栓ユニット１３の第一カバー体１６及び第二カバー体１７で構成され、同部は前記第三カバー体１８よりも前方に突出する。
【００５３】
第三カバー体１８を第一カバー体１６と保持具７から取り外すことで、各継手２０，２１の下部、給水管３及び給湯管５等を露出させることができる。このため、継手２０，２１に設けられた止水栓の操作、ストレーナーの清掃、水漏れチェック等の点検作業を容易に行うことができる。
【００５４】
以上説明した本実施形態の水栓１は、壁２に取り付けられた保持具７により、水栓本体１９に連通する屈曲自在な水供給用の配管、すなわち給水管３及び給湯管５を保持することができる。このため、前記点検作業時等に給水管３や給湯管５に水が流れたときに、給水管３や給湯管５が暴れて人に当たることを防止できる。
【００５５】
また、ステー２２、前記水供給用の配管、及び保持具７を覆うカバー１５が複数のカバー体１６〜１８で構成され、このうち一のカバー体１８の内面に形成された被嵌合部６１を保持具７に形成された嵌合部６２に嵌合させることができる。このため、前記水供給用の配管が暴れることを防止するための保持具７を用いて、第三カバー体１８をしっかりと固定することができる。
【００５６】
なお、本実施形態の水栓１は湯水混合水栓であるが、水又は湯のみを吐出する水栓であってもよく、すなわち、この場合は水供給用の配管として給水管３又は給湯管５の一方みが設けられることとなる。また、本実施形態のステー２２は継手２０，２１を介して水栓本体１９を保持するものであるが、ステー２２は水栓本体１９を直接保持するものであってもよい。また、前記水供給用の配管は継手２０，２１を介さず直接水栓本体１９に接続されるものであってもよい。さらに水供給用の配管は可撓性を有するホースで構成してもよく、すなわち、屈曲自在な管であればよい。また、ソフトテープ１２を設けず、保持具７の各保持部８で給水管３及び給湯管５を直接保持するようにしてもよい。また、保持具７の各保持部８はソフトテープ１２以外の他の柔軟性を有する部材を介して給水管３及び給湯管５を保持するものであってもよい。また、本実施形態ではカバー１５をカバー体１６〜１８で構成したが、２又は４以上のカバー体でカバーを構成してもよい。
【符号の説明】
【００５７】
１  水栓
２  壁
７  保持具
１５  カバー
１９  水栓本体
６１  被嵌合部
６２  嵌合部
【図１】
2012046956.tif 000003
【図２】
2012046956.tif 000004
【図３】
2012046956.tif 000005
【図４】
2012046956.tif 000006
【図５】
2012046956.tif 000007
【図６】
2012046956.tif 000008
【図７】
2012046956.tif 000009
【図８】
2012046956.tif 000010
【図９】
2012046956.tif 000011
【図１０】
2012046956.tif 000012